(57)【特許請求の範囲】
【請求項１】
利用者の所持する第１の携帯可能電子装置を処理する駅務機器と前記駅務機器と通信可能な上位装置とを具備する情報提供システムであって、
前記駅務機器は、
前記第１の携帯可能電子装置から少なくとも識別情報を含む乗車券情報を読み取る読取手段と、
前記読取手段により読み取った乗車券情報に基づいて処理を行ない、処理後の乗車券情報を前記第１の携帯可能電子装置に書き込む書込手段と、
前記書込手段により書き込んだ乗車券情報を前記上位装置に送信する第１の送信手段と、
を具備し、
前記上位装置は、
前記駅務機器から送信された乗車券情報を記憶する記憶手段と、
利用者の所持する第２の携帯可能電子装置から前記第１の携帯可能電子装置の識別情報と駅情報とを受信する受信手段と、
前記記憶手段により記憶されている乗車券情報から前記受信手段により前記第２の携帯可能電子装置から受信した識別情報を含む乗車券情報を検索する検索手段と、
前記受信手段により前記第２の携帯可能電子装置から受信した駅情報と前記検索手段により検索した乗車券情報とに基づいて前記第１の携帯可能電子装置の改札口の通行の可否の判定を行う模擬判定手段と、
前記模擬判定手段による判定結果を前記第２の携帯可能電子装置に送信する第２の送信手段と、
を具備することを特徴とする情報提供システム。
【請求項２】
前記駅務機器は、各駅の改札口に設置されている改札機であることを特徴とする請求項１に記載の情報提供システム。
【請求項３】
前記記憶手段は、各駅における複数の改札機のプログラムを記憶する手段を具備し、  前記模擬判定手段は、前記受信手段により前記第２の携帯可能電子装置から受信した駅情報に応じた駅の改札機のプログラムにより前記第１の携帯可能電子装置の改札口の通行の可否の判定を行う、
ことを特徴とする請求項１に記載の情報提供システム。
【請求項４】
前記駅務機器は、
前記書込手段による書き込み処理が完了したか否かを判定する手段をさらに具備し、  前記第１の送信手段は、書き込み処理が完了したか否かの書込判定結果と前記書込手段により書き込んだ乗車券情報とを前記上位装置に送信し、
前記記憶手段は、前記駅務機器より受信した乗車券情報と書込判定結果とを対応付けて記憶し、
前記模擬判定手段は、前記検索手段により検索した乗車券情報に対応付けられている書込判定結果が書き込み処理が完了していないことを示す場合、前記第１の携帯可能電子装置の改札口の通行が不可であると判定する、
ことを特徴とする請求項１に記載の情報提供システム。
【請求項５】
利用者の所持する第１の携帯可能電子装置から少なくとも識別情報を含む乗車券情報を駅務機器により読み取り、
前記読み取った乗車券情報に基づいて処理を行ない、処理後の乗車券情報を前記第１の携帯可能電子装置に前記駅務機器により書き込み、
前記書き込んだ乗車券情報を上位装置により記憶し、
利用者の所持する第２の携帯可能電子装置から前記第１の携帯可能電子装置の識別情報と駅情報とを前記上位装置により受信し、
前記記憶されている乗車券情報から前記第２の携帯可能電子装置から受信した識別情報を含む乗車券情報を前記上位装置により検索し、
前記第２の携帯可能電子装置から受信した駅情報と前記検索した乗車券情報とに基づいて前記第１の携帯可能電子装置の改札口の通行の可否の判定を前記上位装置により行い、
判定結果を前記第２の携帯可能電子装置に前記上位装置により送信する、
ことを特徴とする情報提供方法。
【請求項６】
前記上位装置は、
各駅における複数の改札機のプログラムを予め記憶し、
前記第２の携帯可能電子装置から受信した駅情報に応じた駅の改札機のプログラムにより前記第１の携帯可能電子装置の改札口の通行の可否の判定を行う、
ことを特徴とする請求項５に記載の情報提供方法。
【請求項７】
前記駅務機器は、
乗車券情報が前記第１の携帯可能電子装置に書き込まれたか否かを判定し、
乗車券情報が前記第１の携帯可能電子装置に書き込まれたか否かの書込判定結果を乗車券情報に対応付けて記憶し、
前記上位装置は、
前記検索した乗車券情報に対応付けられている書込判定結果が書き込み処理が完了していないことを示す場合、前記第１の携帯可能電子装置の改札口の通行が不可であると判定する、
ことを特徴とする請求項５に記載の情報提供方法。
【発明の詳細な説明】
【技術分野】
【０００１】
本発明は、例えば、利用者に改札処理に関する情報の提供を行なう情報提供システム、及び情報提供方法に関する。
【背景技術】
【０００２】
鉄道各社の駅には、各種の駅務処理を行なう駅務機器が設置されている。このような駅務機器では、入場券、定期券、乗車券、ストアードフェアカード（ＳＦカード）などの情報記憶媒体に対して種々の処理が行われる。
【０００３】
近年、情報記憶媒体として、駅務機器と無線でデータの送受信を行なうことにより、種々の処理を受けることができるＩＣ（Ｉｎｔｅｇｒａｔｅｄ  Ｃｉｒｃｕｉｔ）を有したＩＣ乗車券などが普及しつつある。また、このＩＣ乗車券の機能を有する携帯端末も普及しつつある。しかし、利用者は、券売機若しくは改札機の表示でＩＣ乗車券等の精算に利用可能な残額の確認をする必要があり、容易に残額の確認を行なうことができない。この為、利用者が改札機を通過する際、残額不足の判定を受け通行を阻止される場合がある。
【０００４】
そこで、ＩＣ乗車券としての機能を有する携帯端末において、予め登録されている予定時刻及び行き先情報を含むスケジュール情報に基づいて、利用者が改札処理を受ける前に残額が運賃に足るか否かを判定して判定結果を利用者に報知する情報提供システムが提示されている（たとえば、特許文献１参照）。
【０００５】
しかし、上記した従来の情報提供システムにより利用者に提供される情報は、実際に改札機にＩＣ乗車券を翳した場合の判定結果ではなく、所定の経路の運賃に残額が足るか否かの情報のみである。改札機において通行不可となる原因は、残額不足の他に、例えばＩＣ乗車券への処理データの書込未了などがある。この場合、残額と運賃の関係に関わらず、通行不可と判定される。しかし、上記した従来の情報提供システムによると、書込未了の場合、既に書き込まれている情報を用いて誤った判定結果を利用者に報知してしまい、利用者が改札機で通行阻止されてしまうという問題がある。
【特許文献１】特開２００６−２５２１６９号公報
【発明の開示】
【発明が解決しようとする課題】
【０００６】
本発明の一形態は、上記した問題点を解決するものであり、改札機の判定に関わる正確な情報を利用者に提供することが出来る情報提供システム、及び情報提供方法を提供することにある。
【課題を解決するための手段】
【０００７】
本発明の一実施形態としての情報提供システムは、利用者の所持する第１の携帯可能電子装置を処理する駅務機器と前記駅務機器と通信可能な上位装置とを具備する情報提供システムであって、前記駅務機器は、前記第１の携帯可能電子装置から少なくとも識別情報を含む乗車券情報を読み取る読取手段と、前記読取手段により読み取った乗車券情報に基づいて処理を行ない、処理後の乗車券情報を前記第１の携帯可能電子装置に書き込む書込手段と、前記書込手段により書き込んだ乗車券情報を前記上位装置に送信する第１の送信手段とを具備し、前記上位装置は、前記駅務機器から送信された乗車券情報を記憶する記憶手段と、利用者の所持する第２の携帯可能電子装置から前記第１の携帯可能電子装置の識別情報と駅情報とを受信する受信手段と、前記記憶手段により記憶されている乗車券情報から前記受信手段により前記第２の携帯可能電子装置から受信した識別情報を含む乗車券情報を検索する検索手段と、前記受信手段により前記第２の携帯可能電子装置から受信した駅情報と前記検索手段により検索した乗車券情報とに基づいて前記第１の携帯可能電子装置の改札口の通行の可否の判定を行う模擬判定手段と、前記模擬判定手段による判定結果を前記第２の携帯可能電子装置に送信する第２の送信手段とを具備する。
【発明の効果】
【０００９】
この発明の一形態によれば、改札機の判定に関わる正確な情報を利用者に提供することが出来る情報提供システム、及び情報提供方法を提供することができる。
【発明を実施するための最良の形態】
【００１０】
以下、図面を参照しながら、本発明の一実施形態に係る情報提供システム、及び情報提供方法について詳細に説明する。
【００１１】
図１は、一実施形態に係る情報提供システムの概略を示す図である。情報提供システムは、鉄道などの交通機関における改札処理を行なう改札機１と、改札機１と通信可能なサーバ３とから構成されるシステムである。
【００１２】
改札機１は、駅の改札口などに設置され、改札口で利用者の所持する携帯可能電子装置としてのＩＣカード２に対して改札処理を行なうものである。駅務システムでは、利用者が所持するＩＣカード２に記憶されている乗車券情報に基づいて、鉄道などの交通機関の利用を可能とする。
【００１３】
ＩＣカード２は、内部メモリ２ａを有している。ＩＣ乗車券として機能するＩＣカード２の内部メモリ２ａには、鉄道などの交通機関を利用する為の乗車券情報として、識別情報、残額情報、及び乗降履歴などが記憶されている。
【００１４】
識別情報は、ＩＣカード固有の情報であり、改札機１などの駅務機器にＩＣカードを識別させるための情報である。残額情報は、料金の精算に利用可能である金額情報である。乗降履歴は、改札を受ける際に記録される乗車と降車の履歴を示す情報である。改札機１は、ＩＣカード２に対して改札処理を行なう場合、ＩＣカード２より読み取った乗車券情報をサーバ３に送信する。
【００１５】
サーバ３は、電鉄会社の管理センタなどに設置されている。サーバ３は、改札機１から送信された乗車券情報を記憶し、蓄積する。また、サーバ３は、利用者の所持する携帯可能電子装置としての携帯端末４と通信を行ない、記憶している乗車券情報に基づいて改札処理に関する種々の情報を利用者に提供することができる。
【００１６】
なお、改札機１などの駅務機器は、図１に示す駅（駅Ｂ、駅Ｃ・・・）にも設置され、情報提供システム全体を構成している。
【００１７】
図２は、一実施形態に係る情報提供システムの各構成の例を示すブロック図である。  
図２に示すように、改札機１は、制御部１１、ＩＣカード処理部１３、メモリ１６、通信部１７、通行制御部１８、及び表示部１９などを有している。
【００１８】
制御部１１は、改札機１全体の制御を司るものである。制御部１１は、ＣＰＵ、ＣＰＵの作業領域として機能するバッファメモリ、ＣＰＵが実行する種々のプログラムや制御データなどが記憶されているプログラムメモリなどから構成される。制御部１１では、ＣＰＵがプログラムを実行することにより種々の機能を実現している。
【００１９】
ＩＣカード処理部１３は、利用者が所持するＩＣカード２を処理するものである。ＩＣカード処理部１３は、送受信部１４を有している。送受信部１４は、例えば、アンテナなどで構成され、ＩＣカード２との電波の送受信を行なうためのものである。送受信部１４は、アンテナからの電波が届く範囲である送受信可能エリア１５内に存在するＩＣカードを検知し、通信を行なう。即ち、ＩＣカード処理部１３は、読取手段として機能し、制御部１１からの指示に基づいて、送受信部１４を介して送受信可能エリア１５内に存在するＩＣカード２から少なくとも識別情報を含む乗車券情報を読み取る。また、ＩＣカード処理部１３は、ＩＣカード２に対してデータを書き込む書込処理を行なう。ＩＣカード処理部１３は、書込処理を行なう際、ＩＣカード２からデータの書き込み完了を示すコマンドを受信したか否かに基づいて、書込処理が完了したか否かを判定する。
【００２０】
メモリ１６は、精算処理に必要な運賃情報などを記憶している。通信部１７は、サーバ３とデータの通信を行なう為の外部通信ユニットである。
【００２１】
通行制御部１８は、利用者の通行を制御するものである。通行制御部１８は、例えば、利用者の通行を阻止するドア（図示せず）、このドアを制御するドア開閉機構（図示せず）などから構成されている。また、改札機１は、当該改札機１内を通過する人を検知するセンサ（図示せず）を有している。通行制御部１８は、センサの検知結果に基づいてドアの開閉のタイミングを制御している。表示部１９は、利用者への案内表示などを表示する表示装置などから構成されている。
【００２２】
次に制御部１１が有している種々の機能について説明する。  
制御部１１は、ＩＣカード処理部１３により読み取ったＩＣカード２に記憶されている乗車券情報を読み取る処理を行なう。また、制御部１１は、ＩＣカード２から読み取った乗車券情報に基づいて利用者の通行の可否を判定する処理を行なう。即ち、まず制御部１１は、ＩＣカード２から読み取った乗降履歴に基づいて、引去り額（運賃）を算出する。次に、制御部１１は、算出した引去り額とＩＣカード２から読み取った残額情報とを比較し、比較した結果に基づいて利用者の通行の可否を判定する。
【００２３】
さらに、制御部１１は、ＩＣカード２の乗車券情報を書き換える処理を行なう。つまり、制御部１１は、ＩＣカード２に記憶されている残額情報の金額を、算出した引去り額を引いた額に書き換えると同時に、最新の乗降履歴を書き込む書込処理を行なう。即ち、制御部１１は、ＩＣカード２から読み取った乗車券情報に基づいて改札処理を行ない、処理後の乗車券情報をＩＣカード２に書き込む書込手段として機能する。
【００２４】
またさらに、制御部１１は、ＩＣカード２から読み取った識別情報と、書込処理により書き込んだ残額情報及び最新の乗降履歴を通信部１７によりサーバ３に送信する。即ち、通信部１７は、ＩＣカード２に書き込む乗車券情報をサーバ３に送信する送信手段として機能する。さらに、制御部１１は、通信部１７によりＩＣカード処理部１３による書込処理が完了したか否かの判定結果をサーバ３に送信する。
【００２５】
図２に示すように、サーバ３は、制御部３１、記憶部３２、及び通信部３３などを有している。  
制御部３１は、サーバ３全体の制御を司るものである。制御部３１は、ＣＰＵ、ＣＰＵの作業領域として機能するバッファメモリ、ＣＰＵが実行する種々のプログラムや制御データなどが記憶されているプログラムメモリなどから構成される。制御部３１では、ＣＰＵがプログラムを実行することにより種々の機能を実現している。
【００２６】
記憶部３２は、記憶手段として機能し、乗車券情報、改札プログラム、各種の画面情報をそれぞれ記憶する記憶部３２ａ、３２ｂ、及び３２ｃを有している。
【００２７】
記憶部３２ａは、改札機１から受信した識別情報、残額情報、及び書込処理により書き込んだ最新の乗降履歴などの乗車券情報に書込処理判定の結果を対応付けて記憶し、図３に示すような乗車券情報リストを構築する。
【００２８】
識別情報は、ＩＣカード２を識別する為の情報であり、制御部３１が乗車券情報を検索する場合にインデックスとして用いられる。残額情報は、対応付けられている識別情報を有するＩＣカード２に記憶されている精算に利用可能な金額の情報である。最新の乗降履歴、即ち最終乗降履歴は、改札機１によりＩＣカード２を処理した際にＩＣカード２に書き込まれる情報であり、改札機１が設置されている駅名、及び改札機１が行なった改札処理の種類を示す情報を含む。書込処理判定は、改札機１によりＩＣカード２に対して正確に書込み処理が行なわれたか否かを示す情報であり、正確に書込み処理が行なわれた場合「ＯＫ」、正確に書込み処理が行なわれなかった場合「ＮＧ」となる。
【００２９】
記憶部３２ａは、新たに改札機１から乗車券情報を受信した場合、受信した乗車券情報の識別情報と一致する識別情報に対応付けられている残額情報、最終乗降履歴、及び書込処理判定を新たに受信した情報に更新する。
【００３０】
記憶部３２ｂは、情報提供システム全体の各駅の改札機に用いられている改札処理を実行するための複数の駅の改札機のプログラム（改札プログラム）を記憶している。記憶部３２ｃは、後述するような利用者に情報を提供する為の各種の画面情報のデータを記憶している。
【００３１】
通信部３３は、改札機１及び利用者の所持する携帯端末４と通信を行なうものである。通信部３３は、ＬＡＮなどにより改札機１と接続されており、種々の情報を改札機１から受信する。また、通信部３３は、インターネットに接続するためのインターフェースを有し、利用者の所持する携帯端末４とインターネットを介してデータの送受信を行なうことができる。
【００３２】
図２に示すように、携帯端末４は、制御部４１、操作入力部４２、表示部４３、及び通信部４４などを有している。  
制御部４１は、携帯端末４全体の制御を司るものである。制御部４１は、ＣＰＵ、ＣＰＵの作業領域として機能するバッファメモリ、ＣＰＵが実行する種々のプログラムや制御データなどが記憶されているプログラムメモリなどから構成される。制御部４１では、ＣＰＵがプログラムを実行することにより種々の機能を実現している。
【００３３】
操作入力部４２は、携帯端末４の操作者（利用者）の操作入力を携帯端末４の各部の動作に反映させる為のインターフェースである。表示部４３は、液晶ディスプレイなどの表示装置により構成され、制御部４１による制御に基づいて種々の画面を表示させる。通信部４４は、図示しないアンテナを有する。制御部４１は、通信部４４によりインターネットに接続し、様々なＷＥＢサイトにアクセスすることができる。
【００３４】
次に、改札機１での改札処理について詳細に説明する。  
図４は、図２に示す改札機１において実行される改札処理を説明するフローチャートである。  
まず、利用者がＩＣカード２を改札機１の送受信部１４に提示すると、改札機１の制御部１１は、ＩＣカード処理部１３により送受信部１４の送受信可能エリア１５内に存在するＩＣカード２に記憶されている識別情報、残額情報、および乗降履歴などの乗車券情報を読み取る（ステップＳ１１）。
【００３５】
ＩＣカード２を読み取ると、制御部１１は、ＩＣカード２から読み取った乗車券情報に基づいて通行判定を行なう（ステップＳ１２）。即ち、制御部１１は、ＩＣカード２から読み取った乗降履歴が正しいかどうか、また、乗降履歴に基づいて引去り額を算出し、ＩＣカード２から読み取った残額が算出した引去り額に足るか否かを判定する。ここで、例えば、入場の改札処理の際に読み取った最新の乗降履歴が入場であるなどして、乗降履歴が正しくない場合、また、残額が引去り額に足りない場合、制御部１１は、利用者の通行を不可と判定し（ステップＳ１３）、利用者の通行を阻止するために、通行制御部１８を制御して図示しない開閉扉を閉じる。
【００３６】
乗降履歴が正しく、残額が引去り額に足る場合（ステップＳ１２、ＹＥＳ）、制御部１１は、書込み処理を行なう（ステップＳ１４）。即ち、制御部１１は、ＩＣカード２に記憶されている残額情報の金額を、算出した引去り額を引いた額に書き換えると同時に、最新の乗降履歴を書き込む書込処理を行なう。また、制御部１１は、書込み処理が完了したか否かをＩＣカード２からのレスポンスに応じて判定する（ステップＳ１５）。
【００３７】
書込み処理が完了したと判定した場合（ステップＳ１５、ＹＥＳ）、制御部１１は、利用者の通行を可と判定し（ステップＳ１６）、通行制御部１８を制御して図示しない開閉扉を開き、利用者の通行を促す。さらに、制御部１１は、ＩＣカード２に書き込んだ乗車券情報と書込処理が終了したことを示す書込判定結果をサーバ３に送信し（ステップＳ１７）、処理を終了する。
【００３８】
また、書込み処理が完了しなかったと判定した場合（ステップＳ１５、ＮＯ）、制御部１１は、利用者の通行を不可と判定し（ステップＳ１８）、利用者の通行を阻止するために、通行制御部１８を制御して図示しない開閉扉を閉じる。さらに、制御部１１は、ＩＣカード２に書き込むはずだった乗車券情報と書込処理が未了であることを示す書込判定結果をサーバ３に送信し（ステップＳ１９）、処理を終了する。
【００３９】
次に、情報提供システムにおける処理について詳細に説明する。  
図５は、図２に示す情報提供システムの各構成における処理を説明するためのシーケンスである。  
携帯端末４は、利用者が本実施形態に関わる情報提供システムを利用する場合に行なわれる操作入力に基づいて、図２に示す記憶部３２ｃに記憶されている入力画面の画面情報へのアクセス要求をインターネットを介してサーバ３に送信する（ステップＳ２１）。
【００４０】
サーバ３は、携帯端末４から入力画面の画面情報へのアクセス要求を受信すると、入力画面の画面情報を携帯端末４へ送信する（ステップＳ２２）。
【００４１】
携帯端末４は、サーバ３からトップページの入力画面の画面情報を受信すると、図６に示すような乗降車シミュレーション画面を表示部４３に表示させる（ステップＳ２３）。図６は、利用者にＩＣカード２の識別情報及び改札を受ける駅の情報を入力させる為の乗降車シミュレーション画面である。乗降車シミュレーション画面は、ＩＣカード２の識別情報が入力される入力欄６１と、改札を受ける駅が入力される入力欄６２と、判定ボタン６３とを表示している。判定ボタン６３が利用者の操作入力により選択されると、入力欄６１及び６２に入力されている識別情報と駅情報とがサーバ３へ送信される（ステップＳ２４）。
【００４２】
サーバ３は、受信手段としての通信部４４により携帯端末４からＩＣカード２の識別情報と駅情報とを受信する。識別情報と駅情報とを受信すると、サーバ３の制御部３１は、改札機１から受信した乗車券情報が蓄積されている記憶部３２ａから、携帯端末４から受信した識別情報を含む乗車券情報を検索する（ステップＳ２５）。即ち、制御部３１は、検索手段として機能する。
【００４３】
携帯端末４から受信した識別情報を含む乗車券情報を検索すると、制御部３１は、携帯端末４から受信した駅情報に基づいて、記憶部３２ｂに記憶されている複数の駅の改札機のプログラムのうち１つを選択し、検索した乗車券情報に基づいて利用者の通行の可否を判定する行う模擬判定処理を行なう（ステップＳ２６）。即ち、制御部３１は、模擬判定手段として機能する。模擬判定手段は、受信した駅情報の駅の改札機のプログラムにより、通行判定を行なうことで、受信した識別情報を有するＩＣカードを用いて、受信した駅情報の駅の改札機を通過できるか否かを判定する。
【００４４】
模擬判定手段は、例えば、選択した改札プログラムと検索した乗車券情報の乗降履歴とから、引去り額（運賃）を算出し、検索した乗車券情報の残額情報が算出した運賃に足るか否かを判定する。この判定で、残額情報が運賃に足ると判定した場合、模擬判定手段は、通行可能と判定する。この場合、制御部３１は、改札機を通行可能であることを利用者に報知する為のシミュレーション結果画面の画面情報を携帯端末４に送信する。
【００４５】
また、残額情報が運賃に足りないと判定した場合、模擬判定手段は、通行不可と判定する。この場合、制御部３１は、利用者の所持するＩＣカード２の残額が運賃に足りないために改札機を通行可能であることを利用者に報知する為のシミュレーション結果画面の画面情報を携帯端末４に送信する。
【００４６】
また、模擬判定手段は、検索した乗車券情報の書込み処理判定が「ＯＫ」であるか「ＮＧ」であるかを判定する。この判定で「ＮＧ」と判定した場合、模擬判定手段は、通行不可と判定する。この場合、制御部３１は、利用者の所持するＩＣカード２に正確な乗車券情報が書き込まれていないために改札機を通行可能であることを利用者に報知する為のシミュレーション結果画面の画面情報を携帯端末４に送信する。
【００４７】
なお、検索した乗車券情報の乗降履歴が入場である場合、制御部３１は、受信した駅情報の駅の出場側の改札プログラムを選択して模擬判定処理を行なう。また、検索した乗車券情報の乗降履歴が出場である場合、制御部３１は、受信した駅情報の駅の入場側の改札プログラムを選択して模擬判定処理を行なう。
【００４８】
模擬判定処理を行なうと、制御部３１は、送信手段である通信部３３により、模擬判定処理の判定結果を携帯端末４に送信する（ステップＳ２７）。即ち、制御部３１は、記憶部３２ｃに記憶されている画面情報のうちの模擬判定処理の判定結果を示す画面情報を携帯端末４へ送信する。
【００４９】
携帯端末４は、サーバ３から模擬判定処理の判定結果を示す画面情報を受信すると、図７乃至図９に示すようなシミュレーション結果画面を表示部４３に表示させる（ステップＳ２８）。
【００５０】
図７に示すシミュレーション結果画面は、模擬判定処理により通行可能と判定された場合の結果を示す画面である。図７に示すシミュレーション結果画面は、利用者が入力した識別情報を有するＩＣカード２を用いて利用者が入力した駅の改札機１を通行することが可能であることを示す文字列を表示している。また、図７に示すシミュレーション結果画面は、入場駅、出場駅、及び引去り額を表示している。またさらに、改札処理後のＩＣカード２の残額情報を表示するようにしてもよい。
【００５１】
図８に示すシミュレーション結果画面は、模擬判定処理により残額不足のために通行不可と判定された場合の結果を示す画面である。図８に示すシミュレーション結果画面は、利用者が入力した識別情報を有するＩＣカード２を用いて利用者が入力した駅の改札機１を通行することが不可能であることを示す文字列と、利用者を精算機に誘導する文字列とを表示している。また、図８に示すシミュレーション結果画面は、入場駅、出場駅、及び不足金額を表示している。
【００５２】
図９に示すシミュレーション結果画面は、乗車券情報の書込み処理判定が書込み未了のために模擬判定処理により通行不可と判定された場合の結果を示す画面である。図９に示すシミュレーション結果画面は、利用者が入力した識別情報を有するＩＣカード２を用いて利用者が入力した駅の改札機１を通行することが不可能であることを示す文字列と、利用者を駅員のいる窓口に誘導する文字列とを表示している。
【００５３】
上述したように、本発明の一実施形態によると、改札機で利用者の所持するＩＣカードを処理する際、乗車券情報をＩＣカードに書き込むと同時に改札機の上位装置としてのサーバに送信する。サーバは、改札機から受信した乗車券情報を蓄積して記憶する。サーバは、利用者の所持する携帯端末から利用者が所持しているＩＣカードの識別情報と利用者が改札を受けようとしている駅の駅情報とを受信すると、受信した識別情報を含む乗車券情報を記憶した乗車券情報の中から検索する。さらに、サーバは、受信した駅情報に対応した改札プログラムにより、検索した乗車券情報に基づいて通行の可否の判定を行ない、判定結果を利用者の所持する携帯端末４に送信する。
【００５４】
ＩＣカードに書き込む情報をサーバでも管理することにより、利用者に提供する情報を正確に作成することが出来る。また、処理未了によりＩＣカードに正確な情報が無い場合でも、改札処理に関わる正確な情報を利用者に提供することが出来る。この結果として、改札機の判定に関わる正確な情報を利用者に提供することが出来る情報提供システム、及び情報提供方法を提供することができる。
【００５５】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００５６】
本実施形態では携帯可能電子装置はＳＦデータなどを記憶したＩＣカードとして説明した。しかし、ＩＣ乗車券としての携帯可能電子装置は、これに限らず、例えば乗車券情報を記憶する機能と改札機と無線通信を行なう機能とを有する携帯端末であっても本発明は適用され得る。なお、上記した実施形態において識別情報を入力してサーバ３に送信する構成としたが、ＩＣ乗車券と携帯端末４とが一体に形成されている場合、識別情報を利用者に入力させる必要がないように予め入力欄６１に識別情報が入力されていてもよい。
【００５７】
また、上記の実施形態では、改札機１によりＩＣカード２を処理した場合に乗車券情報をサーバ３に送信する構成としたが、これに限定されない。各駅に設置されている精算機及び券売機にサーバ３と通信するための通信部を設け、チャージ、或いは精算が行なわれた場合に乗車券情報をサーバ３に送信する構成としてもよい。
【図面の簡単な説明】
【００５８】
【図１】一実施形態に係る情報提供システムの概略を示す図。
【図２】一実施形態に係る情報提供システムの各構成の例を示すブロック図。
【図３】図１に示す記憶部に蓄積されて記憶されている乗車券情報を示す図。
【図４】図２に示す改札機において実行される改札処理を説明するためのフローチャート。
【図５】図２に示す情報提供システムの各構成における処理を説明するためのシーケンス。
【図６】図２に示す携帯端末に表示される乗降シミュレーション画面の例を説明するための説明図。
【図７】図２に示す携帯端末に表示されるシミュレーション結果画面の例を説明するための説明図。
【図８】図２に示す携帯端末に表示されるシミュレーション結果画面の例を説明するための説明図。
【図９】図２に示す携帯端末に表示されるシミュレーション結果画面の例を説明するための説明図。
【符号の説明】
【００５９】
１…改札機、２…ＩＣカード、３…サーバ、４…携帯端末、１１…制御部、１３…ＩＣカード処理部、１４…送受信部、１６…メモリ、１７…通信部、１８…通行制御部、１９…表示部、３１…制御部、３２…記憶部、３２ａ…記憶部、３２ｂ…記憶部、３２ｃ…記憶部、３３…通信部、４１…制御部、４２…操作入力部、４３…表示部、４４…通信部。
【図１】
0005193578.tif 000002
【図２】
0005193578.tif 000003
【図３】
0005193578.tif 000004
【図４】
0005193578.tif 000005
【図５】
0005193578.tif 000006
【図６】
0005193578.tif 000007
【図７】
0005193578.tif 000008
【図８】
0005193578.tif 000009
【図９】
0005193578.tif 000010